(57)【要約】【課題】文書内に含まれるタグに応じて更新後の文書の差分を的確に取得することが可能な差分取得装置を提供する。【解決手段】タグと本文とからなり、所定のタイミングで更新される入力文書２００が、所定の時間間隔で入力される文書入力部１０１と、予め指定された指定タグ以外のタグを入力文書２００から除去するタグ除去部１０２と、タグ除去部１０２によりタグが除去された文書に含まれる指定タグのタグ名を、前回入力された入力文書の指定タグと区別されるように変更するタグ名変更部１０３と、タグ名変更部１０３により指定タグのタグ名が変更されたタグ変更文書を格納する文書格納部１０４と、タグ変更文書と、文書格納部１０４に格納されている前回入力された入力文書のタグ変更文書とを比較して差分を抽出する差分抽出部１０５と、抽出された差分に基づいて差分文書２１０を作成する差分文書作成部１０６と、を備える差分取得装置１００が提供される。【選択図】図１
2008176668.tif 000002
【特許請求の範囲】
【請求項１】
更新前の文書と更新後の文書との差分を取得する差分取得装置であって、
タグと本文とからなる入力文書に含まれる前記タグのうち予め指定されたタグである指定タグ以外のタグを前記入力文書から除去するタグ除去部と、
前記タグ除去部によって前記タグが除去された文書に含まれる前記指定タグのタグ名を、前回入力された前記入力文書の前記指定タグと区別されるように変更するタグ名変更部と、
前記タグ名変更部によって前記指定タグのタグ名が変更されたタグ変更文書を格納する文書格納部と、
前記タグ変更文書と、前記文書格納部に格納されている前回入力された前記入力文書の前記タグ変更文書とを比較して差分を抽出する差分抽出部と、
前記差分抽出部によって抽出された差分に基づいて差分文書を作成する差分文書作成部と、
を備えることを特徴とする、差分取得装置。
【請求項２】
前記差分文書作成部は、前記差分から予め定められた前記指定タグを除去することにより前記差分文書を作成することを特徴とする、請求項１に記載の差分取得装置。
【請求項３】
前記差分文書作成部は、前記差分から予め定められた前記指定タグと当該指定タグで囲まれる部分とを除去することにより前記差分文書を作成することを特徴とする、請求項１に記載の差分取得装置。
【請求項４】
前記差分文書作成部は、前記差分から予め定められた前記指定タグで囲まれる部分のみを抽出することにより前記差分文書を作成することを特徴とする、請求項１に記載の差分取得装置。
【請求項５】
前記差分文書作成部は、前記差分を全て含むように前記差分文書を作成することを特徴とする、請求項１に記載の差分取得装置。
【請求項６】
前記タグ除去部は、前記入力文書に含まれる前記タグのうち改行を指定するタグの箇所に、改行コードを挿入することを特徴とする、請求項１〜５のいずれかに記載の差分取得装置。
【請求項７】
前記タグ除去部は、前記入力文書に含まれる前記タグのうち所定の範囲の文字列を１つのまとまりとして扱うことを指定するタグで囲まれる部分に含まれる改行コードを除去することを特徴とする、請求項１〜６のいずれかに記載の差分取得装置。
【請求項８】
所定のタイミングで更新される入力文書が所定の時間間隔で入力される文書入力部と、
前記差分文書作成部によって作成される前記差分文書を出力する差分文書出力部と、
をさらに備えることを特徴とする、請求項１〜７のいずれかに記載の差分取得装置。
【発明の詳細な説明】
【技術分野】
【０００１】
本発明は、差分取得装置に係り、特に、更新前の文書と更新後の文書との差分を取得する差分取得装置に関する。
【背景技術】
【０００２】
従来より、インターネット上のＷｅｂページの更新内容を取得するための様々な方法が研究されている。例えば、Ｗｅｂページを構成するＨＴＭＬ（ＨｙｐｅｒＴｅｘｔ  Ｍａｒｋｕｐ  Ｌａｎｇｕａｇｅ）文書から、ブラウザ上で表示される内容とは関係のない制御文字やタグ等を全て削除し、変更前と変更後との差分をとる方法がある。この方法では、ブラウザに表示される情報に関する更新内容のみを的確に取得することができる一方、タグの種類等に応じて一部を意図的に残す等、個別の制御を行うことはできない。
【０００３】
一方、特許文献１には、ＨＴＭＬ文書に含まれるタグに注目して、特定のタグが存在する場合に、そのタグで囲まれる領域のテキストに特定の処理を行う方法が開示されている。この方法を用いると、特定の処理を行うタグを予め決めておき、それぞれのタグに対応する処理を準備しておくことで、タグに応じて意図する制御を行うことが可能である。
【０００４】
【特許文献１】特開２００１−２２２５４７号公報
【発明の開示】
【発明が解決しようとする課題】
【０００５】
しかしながら、特許文献１に記載の方法では、ＨＴＭＬ文書のように任意のタグが用いられる場合に、例えば、ＤＴＤ（Ｄｏｃｕｍｅｎｔ  Ｔｙｐｅ  Ｄｅｆｉｎｉｔｉｏｎ）などで予めＨＴＭＬ文書の構造を定義しておかないと、必要以上の差分が発生したり、あるいは逆に必要な差分が取得できない等の状況が起こる可能性がある。具体的には、例えば、文書の一部をひとかたまりのブロック要素として定義する<div>タグをＨＴＭＬ文書の適当な位置に挿入するような場合、ブラウザ上の表示は変化しなくても、文書構造上は変化していることになる。従って、<div>タグを差分として比較するタグとするか否かによって発生する差分が異なる。即ち、<div>タグを比較するタグと定義した場合は、<div>タグで囲まれる部分が全て差分となり、<div>タグを比較しないタグと定義した場合は、<div>タグで囲まれる部分の差分が発生しないこととなる。
【０００６】
そこで、本発明は、上記問題に鑑みてなされたものであり、本発明の目的とするところは、文書内に含まれるタグに応じて更新後の文書の差分を的確に取得することが可能な、新規かつ改良された差分取得装置を提供することにある。
【課題を解決するための手段】
【０００７】
上記課題を解決するために、本発明のある観点によれば、更新前の文書と更新後の文書との差分を取得する差分取得装置であって、タグと本文とからなり、所定のタイミングで更新される入力文書が、所定の時間間隔で入力される文書入力部と、入力文書に含まれるタグのうち予め指定されたタグである指定タグ以外のタグを入力文書から除去するタグ除去部と、タグ除去部によってタグが除去された文書に含まれる指定タグのタグ名を、前回入力された入力文書の指定タグと区別されるように変更するタグ名変更部と、タグ名変更部によって指定タグのタグ名が変更されたタグ変更文書を格納する文書格納部と、タグ変更文書と、文書格納部に格納されている前回入力された入力文書のタグ変更文書とを比較して差分を抽出する差分抽出部と、差分抽出部によって抽出された差分に基づいて差分文書を作成する差分文書作成部と、を備える差分取得装置が提供される。
【０００８】
かかる構成により、ＨＴＭＬ文書のようにレイアウト情報や文書構造をタグによって表現するテキスト文書において、文書構造を木構造により管理することなく、単純なテキストの比較によって効率的に差分を取得することが可能となる。また、取得された差分から、元の入力文書において所定のタグで囲まれていた部分を認識することができるようになり、タグの内容に応じて差分の出力等を多様に制御することが可能となる。
【０００９】
また、差分文書作成部は、差分から予め定められた指定タグを除去することにより差分文書を作成するようにしてもよい。これにより、タグ以外の本文についての差分のみを差分文書として出力することができる。
【００１０】
あるいは、差分文書作成部は、差分から予め定められた指定タグと当該指定タグで囲まれる部分とを除去することにより差分文書を作成するようにしてもよい。これにより、任意のタグで囲まれた部分についての差分は出力しないようにすることができる。
【００１１】
あるいは、差分文書作成部は、差分から予め定められた指定タグで囲まれた部分のみを抽出することにより、差分文書を作成するようにしてもよい。これにより、任意のタグで囲まれた部分についての差分のみを出力することができる。
【００１２】
あるいは、差分文書作成部は、差分を全て含むように差分文書を作成するようにしてもよい。これにより、指定タグを含む差分を差分文書として出力することができ、出力された差分文書に含まれる指定タグに基づいてさらに別のシステムが処理を行うことが可能となる。
【００１３】
また、タグ除去部は、入力文書に含まれるタグのうち改行を指定するタグの箇所に、改行コードを挿入するようにしてもよい。あるいは、タグ除去部は、入力文書に含まれるタグのうち所定の範囲の文字列を１つのまとまりとして扱うことを指定するタグで囲まれる部分に含まれる改行コードを除去するようにしてもよい。これにより、差分を行単位で抽出した場合に、意味のある文章のまとまりごとに差分を取得することができ、取得した差分を効果的に活用することができる。
【発明の効果】
【００１４】
以上説明したように本発明によれば、文書内に含まれるタグに応じて更新後の文書の差分を的確に取得することが可能となる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
まず、図１を参照して、本発明の一実施形態にかかる差分取得装置について説明する。図１は、本実施形態にかかる差分取得装置１００の概略構成を示すブロック図である。
【００１７】
本実施形態にかかる差分取得装置１００は、図１に示すように、文書入力部１０１と、タグ除去部１０２と、タグ名変更部１０３と、文書格納部１０４と、差分抽出部１０５と、差分文書作成部１０６と、差分文書出力部１０７とにより構成される。以下、差分取得装置１００の各部について説明する。
【００１８】
（文書入力部１０１）
文書入力部１０１は、入力文書２００が入力される機能部である。文書入力部１０１から入力される入力文書２００は、ＨＴＭＬやＸＭＬ等のマークアップ言語により記述されたテキストデータからなる文書ファイルであって、例えば図２に示す入力文書２０１のようなファイルである。ここで、図２は、文書入力部１０１から入力される入力文書の一例を示す説明図である。文書入力部１０１から入力される入力文書は、図２に示す入力文書２０１のように、文書構造や表示形式等を定義する<head>、<body>、または<div>等のタグと、それらのタグによって囲まれる本文とからなる。
【００１９】
文書入力部１０１には、所定のタイミングによって随時更新される入力文書が所定の時間間隔で入力される。図３は、図２に示す入力文書の更新前の入力文書の一例を示す説明図である。図２に示す入力文書２０１は、図３に示す入力文書２０２の更新後の文書であって、入力文書２０２が入力された後に文書入力部１０１より入力される。入力文書が入力される間隔は、例えば、１時間に１回であってもよく、１日に１回であってもよく、１週間に１回であってもよい。あるいは、入力文書が更新されるタイミングに応じて随時最新のファイルが入力されるようにしてもよい。また、それぞれの入力文書は、それ以前に入力された更新前の入力文書と同じファイル名によって対応付けされるようにしてもよく、ファイル名に同じ文字列が含まれるようにして対応付けされるようにしてもよい。あるいは、ファイル名以外の属性によって、更新前と更新後の入力文書の対応付けが行われるようにしてもよい。
【００２０】
（タグ除去部１０２）
タグ除去部１０２は、文書入力部１０１から入力された入力文書から、予め指定されたタグを残し、それ以外のタグを除去するための機能部である。図２に示す入力文書２０１の場合、例えば、「MP_」で始まるタグを残すタグとして指定されたタグ（以下、指定タグという）とすると、<MP_PR>及び</MP_PR>タグ以外のタグ、<html>タグや<head>タグ等のタグが全て除去される。図４に、指定タグ以外のタグを除去された入力文書の例を示す。図４は、図２に示す入力文書からタグを除去された入力文書の一例を示す説明図である。
【００２１】
また、タグ除去部１０２は、指定タグ以外のタグを除去すると同時に、タグに応じて本文のテキストを編集するようにしてもよい。例えば、タグ除去部１０２は、テキストがその位置で改行されるように指定するためのタグ（例えば、<br>タグや<p>タグ等）があった場合には、そのタグの位置でテキストが改行されるように改行コードを挿入してもよい。
【００２２】
また、所定の範囲のテキストを１つのまとまり（ブロック）として扱うようにするタグ（以下、ブロックタグという）があった場合には、タグ除去部１０２は、そのタグで囲まれるテキストが１行のテキストになるように、途中に含まれる改行コードを除去したり、前後に改行を挿入する等してもよい。ここで、ブロックタグとは、任意の範囲のテキストを、見出しや段落、リスト、フォーム等の１つのまとまった単位として扱うようにするためのタグであって、例えば、<div>タグや<center>タグ等がこれに含まれる。また、ブロックタグは、ブラウザ上で表示される際に、開始タグと終了タグの前後でテキストが改行されるものであってもよい。また、ブロックタグがネストしている場合は、最も内側のブロックタグによって囲まれる部分のテキストが１行になるように入力文書を編集してもよい。
【００２３】
（タグ名変更部１０３）
タグ名変更部１０３は、タグ除去部１０２によってタグが除去された入力文書に含まれる指定タグのタグ名を変更するための機能部である。タグ名変更部１０３は、指定タグのタグ名を、前回入力された同じ入力文書の指定タグと区別されるように変更する。これにより、文書の差分を取る際に、変更されたタグの部分が差分として取得されるようにすることができる。
【００２４】
図５に、タグ名変更部１０３によってタグ名が変更された文書（以下、タグ変更文書という）の例を示す。図５は、図４に示す入力文書に含まれる指定タグのタグ名が変更されたタグ変更文書の一例を示す説明図である。図５に示すタグ変更文書２０４は、図４に示す文書２０３に含まれる指定タグ「MP_」で始まるタグのタグ名の後に文字列（ポストフィックス）を付加された例を示す。ここで、付加されるポストフィックスは、前回入力された同じ入力文書の指定タグに付加されたポストフィックスと異なる文字列であればよい。例えば、図５の例に示すように、ポストフィックスとして、現在日時を表す文字列を付加するようにしてもよい。図５の例では、２００６年９月１９日１０時１分を表す文字列「２００６０９１９１００１」が、指定タグ<MP_PR>に付加されている。このように、現在日時を用いて変更後のタグ名を作成する場合、入力文書が入力される時間間隔に応じて現在日時の表記を省略するようにしてもよい。例えば、入力文書が１時間間隔で入力される場合は、分や秒の単位を表す部分を省略して、ポストフィックスを「２００６０９１９１０」のように表示してもよい。あるいは、入力文書が１日間隔で入力される場合は、時刻を表す部分を省略して、「２００６０９１９」のようにしてもよい。
【００２５】
なお、ここでは、指定タグに付加するポストフィックスとして現在日時を表す文字列を用いた例について説明したが、ポストフィックスは、前回の入力文書の指定タグと異なる文字列であればどのような文字列を用いてもよい。あるいは、指定タグの後にポストフィックスとして文字列を付加するのではなく、指定タグの前や間に文字列を付加するようにしてもよい。あるいは、指定タグの元のタグ名の一部または全部を除去して、他の文字列に変更するようにしてもよい。
【００２６】
（文書格納部１０４）
文書格納部１０４は、タグ名変更部１０３によってタグが変更されたタグ変更文書を格納するための記憶部である。格納されたタグ変更文書は、次に同じ入力文書が入力されたときに差分抽出部１０５によって参照される。それぞれのタグ変更文書は、次に入力される入力文書との対応付けができるようにするために、文書ファイル名や格納日時等の属性情報とともに文書格納部１０４に格納されるようにしてもよい。
【００２７】
（差分抽出部１０５）
差分抽出部１０５は、タグ名変更部１０３によりタグが変更された入力文書（タグ変更文書）と、前回入力された入力文書とを比較して差分を抽出するための機能部である。差分抽出部１０５は、差分抽出部１０５からタグ変更文書を入力されると、文書格納部１０４から比較対象となる前回のタグ変更文書を取得する。差分抽出部１０５は、前回のタグ変更文書を取得する際、文書ファイル名に基づいて前回のタグ変更文書を文書格納部１０４から取得するようにしてもよいし、文書ファイル名以外の属性を用いてもよい。
【００２８】
図６に、図５に示すタグ変更文書に対する、前回のタグ変更文書の例を示す。図６は、文書格納部１０４に格納されたタグ変更文書の一例を示す説明図である。ここで、図６に示すタグ変更文書２０５は、図３の入力文書２０２のタグを除去し、指定タグを変更したものである。差分抽出部１０５は、差分抽出部１０５から入力されたタグ変更文書を、文書格納部１０４から取得したタグ変更文書と行単位で比較し、文書格納部１０４から取得したタグ変更文書と異なる行のテキストを差分として抽出する。例えば、図５に示すタグ変更文書２０４と図６に示す前回のタグ変更文書２０５とにより差分を抽出した場合、抽出される差分のテキストデータは、図７に示す差分２０６のようになる。ここで、図７は、差分抽出部１０５によって抽出された差分の一例を示す説明図である。図５及び図６に示すように、それぞれのタグ変更文書に含まれる指定タグは、タグ名変更部１０３によって異なる文字列に変更されているため、差分抽出部１０５によって抽出される差分には、図７に示すように、タグ名変更部１０３によって変更された指定タグとその指定タグで囲まれる本文とが必ず含まれるようになる。これにより、抽出された差分から、元の入力文書において指定タグで囲まれていた部分を認識することができるようになり、タグに応じて差分の出力等を制御することが可能となる。
【００２９】
（差分文書作成部１０６）
差分文書作成部１０６は、差分抽出部１０５によって抽出された差分を基に差分文書２１０を作成するための機能部である。図８〜図１１に、図７に示す差分に基づいて差分文書作成部１０６によって作成された差分文書の例を示す。ここで、図８〜図１１は、差分取得装置から出力される差分文書の一例を示す説明図である。差分文書作成部１０６は、差分抽出部１０５によって抽出された差分に含まれる指定タグに応じて、指定タグで囲まれる部分を差分文書に含めるか否か等の制御を行い、差分文書を作成する。例えば、差分文書作成部１０６は、図８に示す差分文書２１１のように、抽出された差分から指定タグのみを削除して差分文書を作成するようにしてもよい。あるいは、図９に示す差分文書２１２のように、指定タグと指定タグで囲まれる部分とを削除し、指定タグで囲まれた部分は出力しないように制御を行ってもよい。あるいは、図１０に示す差分文書２１３のように、指定タグで囲まれる部分のみを差分文書として出力し、それ以外の部分は出力しないようにしてもよい。あるいは、図１１に示す差分文書２１４のように、指定タグを残したまま、差分文書を作成するようにしてもよい。
【００３０】
（差分文書出力部１０７）
差分文書出力部１０７は、差分文書作成部１０６によって作成された差分文書を出力するための機能部である。差分文書出力部１０７は、例えば、差分文書をネットワークを介して他のコンピュータ等に送信するようにしてもよく、あるいは、ディスプレイ等の表示部を通じて画面に出力するようにしてもよい。あるいは、プリンタ等の出力装置により、差分文書を紙などの印刷媒体に印刷するようにしてもよい。
【００３１】
以上、差分取得装置１００の構成について説明した。かかる構成により、ＨＴＭＬ文書のようにレイアウト情報や文書構造をタグによって表現するテキスト文書において、文書構造を木構造により管理することなく、単純なテキストの比較によって効率的に差分を取得することが可能となる。また、取得された差分から、元の入力文書において所定のタグで囲まれていた部分を認識することができるようになり、タグの内容に応じて差分の出力等を多様に制御することが可能となる。
【００３２】
なお、文書入力部１０１、タグ除去部１０２、タグ名変更部１０３、差分抽出部１０５、差分文書作成部１０６及び差分文書出力部１０７の各部は、上述した各機能を実行可能なプログラムモジュールをコンピュータ等の情報処理装置にインストールしたソフトウェアで構成されてもよいし、あるいは、上述した各機能を実行可能なプロセッサ等のハードウエアで構成されてもよい。また、文書格納部１０４は、例えば、半導体メモリ、光ディスク、磁気ディスク等の各種の記憶媒体等により構成されてもよい。
【００３３】
次に、図１２に基づいて、本実施形態にかかる差分取得装置１００により実行される差分取得処理の一例を説明する。ここで、図１２は、本実施形態にかかる差分取得装置１００により実行される差分取得処理の流れを示すフローチャートである。
【００３４】
まず、ステップＳ３００で、文書入力部１０１から入力文書が入力される。なお、ここでは、入力文書が入力される以前に更新前の状態の入力文書が入力されており、タグ除去部１０２及びタグ名変更部により処理されて文書格納部１０４に格納されているものとする。入力された入力文書は、タグ除去部１０２に入力される。
【００３５】
次いで、ステップＳ３０２で、タグ除去部１０２は、予め指定されたタグ（指定タグ）以外のタグを入力文書から除去する。タグを除去された入力文書は、タグ名変更部１０３に入力される。
【００３６】
次いで、ステップＳ３０４で、タグ名変更部１０３は、入力文書に残された指定タグのタグ名を変更する。このとき、タグ名変更部１０３は、変更後のタグ名が、前回入力された同じ入力文書の指定タグと区別されるように変更する。これにより、文書の差分を取る際に、変更された指定タグが差分として抽出されるようにすることができる。タグ名が変更された入力文書（タグ変更文書）は、差分抽出部１０５に入力される。
【００３７】
次いで、ステップＳ３０６で、タグ名変更部１０３によってタグ名が変更された入力文書（タグ変更文書）が文書格納部１０４に格納される。
【００３８】
次いで、ステップＳ３０８で、差分抽出部１０５は、タグ名変更部１０３から入力されたタグ変更文書の直前に入力され、文書格納部１０４に格納されているタグ変更文書を取得する。差分抽出部１０５は、文書ファイル名に基づいて前回のタグ変更文書を文書格納部１０４から取得するようにしてもよいし、文書ファイル名以外の属性を用いてもよい。
【００３９】
次いで、ステップＳ３１０で、差分抽出部１０５は、タグ名変更部１０３から入力されたタグ変更文書と、文書格納部１０４から取得された前回のタグ変更文書とを行単位で比較し、差分を抽出する。抽出された差分は、差分文書作成部１０６に入力される。
【００４０】
次いで、ステップＳ３１２で、差分文書作成部１０６は、差分抽出部１０５によって抽出された差分に含まれる指定タグに応じて指定タグで囲まれる部分を差分文書に含めるか否か等の制御を行い、差分文書を作成する。例えば、差分文書作成部１０６は、図８に示す差分文書２１１のように、抽出された差分から指定タグのみを削除して差分文書を作成するようにしてもよい。あるいは、図９に示す差分文書２１２のように、指定タグと指定タグで囲まれる部分とを削除し、指定タグで囲まれた部分は出力しないように制御を行ってもよい。あるいは、図１０に示す差分文書２１３のように、指定タグで囲まれる部分のみを差分文書として出力し、それ以外の部分は出力しないようにしてもよい。あるいは、図１１に示す差分文書２１４のように、指定タグを残したまま、差分文書を作成するようにしてもよい。
【００４１】
最後に、ステップＳ３１４で、差分文書出力部１０７が差分文書作成部１０６によって作成された差分文書を出力する。差分文書出力部１０７は、例えば、差分文書をネットワークを介して他のコンピュータ等に送信するようにしてもよく、あるいは、ディスプレイ等の表示部を通じて画面に出力するようにしてもよい。あるいは、プリンタ等の出力装置により、差分文書を紙などの印刷媒体に印刷するようにしてもよい。
【００４２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４３】
例えば、上記実施形態では、作成した差分文書を差分文書出力部によって出力するものとして説明したが、本発明はかかる例に限定されない。例えば、差分取得装置に差分文書出力部を設けず、差分文書作成部によって作成された差分文書を、半導体メモリや磁気ディスク等の記憶媒体に蓄積し、蓄積されたデータを他のシステムと受け渡しするようにしてもよい。
【図面の簡単な説明】
【００４４】
【図１】本発明の一実施形態にかかる差分取得装置の概略構成を示すブロック図である。
【図２】同実施形態にかかる差分取得装置に入力される入力文書の一例を示す説明図である。
【図３】図２に示す入力文書の直前に入力された入力文書の一例を示す説明図である。
【図４】図２に示す入力文書からタグを除去された入力文書の一例を示す説明図である。
【図５】図３に示す入力文書に含まれる指定タグのタグ名を変更された入力文書の一例を示す説明図である。
【図６】文書格納部に格納されているタグ変更文書の一例を示す説明図である。
【図７】差分取得装置により取得された差分の一例を示す説明図である。
【図８】差分取得装置から出力される差分文書の一例を示す説明図である。
【図９】差分取得装置から出力される差分文書の一例を示す説明図である。
【図１０】差分取得装置から出力される差分文書の一例を示す説明図である。
【図１１】差分取得装置から出力される差分文書の一例を示す説明図である。
【図１２】差分取得装置により実行される差分取得処理の流れを示すフローチャートである。
【符号の説明】
【００４５】
１００    差分取得装置
１０１    文書入力部
１０２    タグ除去部
１０３    タグ名変更部
１０４    文書格納部
１０５    差分抽出部
１０６    差分文書作成部
１０７    差分文書出力部
２００、２０１、２０２    入力文書
２１０、２１１、２１２、２１３、２１４    差分文書
【図１】
2008176668.tif 000003
【図２】
2008176668.tif 000004
【図３】
2008176668.tif 000005
【図４】
2008176668.tif 000006
【図５】
2008176668.tif 000007
【図６】
2008176668.tif 000008
【図７】
2008176668.tif 000009
【図８】
2008176668.tif 000010
【図９】
2008176668.tif 000011
【図１０】
2008176668.tif 000012
【図１１】
2008176668.tif 000013
【図１２】
2008176668.tif 000014